(57)【要約】  本発明によれば、シェル（４００）は、携帯電話（２００）を取外し可能なやり方で収容するように配置されており、携帯電話が側面の縁部にスロット（２０１）を有し、これによって加入者ＩＤカード（３００）を携帯電話に挿入することが可能になり、このシェルは、・近距離無線通信デバイス（５００）およびそれに関連したアンテナを収容して保持するように、シェルの下部形成壁（４０１）に配置された手段（４０８）と、・このデバイスに接続するための第１の終端（４０９Ａ）、および複数の電気接点（４０９Ｃ）が備わっている第２の終端（４０９Ｂ）を有するワイヤインターフェース（４０９）と、・第２の終端が固定されている支持体（４１０）であって、前記接点を加入者ＩＤカードの対応する電気接点（３０１）に接続するように加入者ＩＤカードを収容するように適合された支持体（４１０）とを備える。一実施形態では、第２の終端を固定し、かつカードを収容する支持体によって形成された組立体が、スロットに挿入されるように適合されている。
2015514364.tif 000002
【特許請求の範囲】
【請求項１】
加入者ＩＤカード（３００）が挿入され得るように側面の縁部に配置されたスロット（２０１）を有する携帯電話（２００）を解除可能なやり方で収容するように適合されたシェル（４００、４００’、４００”）であって、
・近距離無線通信デバイス（５００）および前記近距離無線通信デバイス（５００）に関連したアンテナを収容して保持するように、前記シェルの下部形成壁（４０１）に配置された手段（４０８）と、
・前記近距離無線通信デバイス（５００）に接続するための第１の終端（４０９Ａ）、および複数の電気接点（４０９Ｃ）が備わっている第２の終端（４０９Ｂ）を有するワイヤインターフェース（４０９）と、
・前記ワイヤインターフェース（４０９）の前記第２の終端（４０９Ｂ）が固定されている支持体（４１０）であって、前記第２の終端の前記電気接点（４０９Ｃ）を前記加入者ＩＤカード（３００）の対応する電気接点（３０１）と接続するように、前記加入者ＩＤカード（３００）を収容するように適合されている支持体（４１０）と、
を備えることを特徴とするシェル（４００、４００’、４００”）。
【請求項２】
前記支持体が、前記シェルのリム形成壁（４０２、４０２’）に取り付けられており、前記ワイヤインターフェースの前記第２の終端（４０９Ｂ）が固定されている支持体（４１０）と、前記支持体に収容された前記加入者ＩＤカード（３００）とによって形成された組立体が、前記携帯電話の前記側面の縁部に配置されたスロット（２０１）に挿入されるように適合されている、請求項１に記載のシェル。
【請求項３】
シェルであって、複数の接続手段（４２１）を有する第２の支持体（４２０）が、前記シェルのリム形成壁（４０２、４０２’）に取り付けられており、前記接続手段のそれぞれが、携帯端末の接点を前記ワイヤインターフェースの前記第２の終端（４０９Ｂ）の前記電気接点のうちの１つに接続するように配置されており、前記第２の支持体が、前記携帯電話の前記側面の縁部に配置された前記スロット（２０１）に挿入されるように適合されている、請求項１に記載のシェル。
【請求項４】
前記支持体（４１０）が取り付けられている前記シェル（４００’）の前記リム形成壁（４０２’）が、可撓性で変形可能な材料で製作されている、請求項１から３のいずれか一項に記載のシェル（４００’）。
【請求項５】
前記支持体（４１０）が、前記リム形成壁に沿って延在する軸のまわりに枢転可能な軸ピン接続によって前記シェル（４００）の前記リム形成壁（４０２）に取り付けられている、請求項１から３のいずれか一項に記載のシェル（４００）。
【請求項６】
前記支持体（４１０）が、剛性連結によって前記リム形成壁（４０２’、４０２”）に取り付けられている、請求項１から３のいずれか一項に記載のシェル（４００’、４００”）。
【請求項７】
一緒に組み立てられた少なくとも２つの別個の部分（４００”−１、４００”−２）によって構成されたシェルであって、そのうちの一方の部分（４００”−１）が、前記シェルの前記下部形成壁（４０１）に配置された前記手段（４０８）、前記ワイヤインターフェース（４０９）、および前記支持体（４１０）を含む、請求項６に記載のシェル（４００”）。
【請求項８】
他方の部分（４００”−２）が、前記シェルの、前記支持体が取り付けられている前記リム形成壁（４０２）から反対側のリム形成壁（４０３）を備える、請求項７に記載のシェル（４００”）。
【請求項９】
前記部分（４００”−１、４００”−２）が、接続クリップ（４１２”）によって一緒に組み立てられている、請求項７に記載のシェル（４００”）。
【請求項１０】
前記シェルの前記壁（４０１、４０２、４０２’）のうち少なくとも１つが、前記ワイヤインターフェース（４０９）の少なくとも一部分を収容するように適合された形状のセットバックを含む、請求項１から３のいずれか一項に記載のシェル（４００、４００’、４００”）。
【請求項１１】
前記ワイヤインターフェース（４０９）が、樹脂の助けによって前記セットバック内に保持されている、請求項１０に記載のシェル（４００、４００’、４００”）。
【請求項１２】
前記シェルの前記下部形成壁（４０１）が、前記携帯電話（２００）の取外し可能な加入者ＩＤカード支持体を収容して保持し得るように適合された形状のカードセットバック（４１４）を含む、請求項１から３のいずれか一項に記載のシェル（４００、４００’、４００”）。
【請求項１３】
前記シェルの前記下部形成壁（４０１）に配置された前記手段（４０８）が、前記近距離無線通信デバイス（５００）および前記近距離無線通信デバイス（５００）に関連した前記アンテナを収容して保持するように適合された形状の、ＮＦＣデバイスのセットバック（４０８）を含む、請求項１から３のいずれか一項に記載のシェル（４００、４００’、４００”）。
【請求項１４】
前記シェルの前記下部形成壁（４０１）に配置された前記手段（４０８）が、樹脂の助けによって、前記近距離無線通信デバイスおよび前記近距離無線通信デバイスに関連したアンテナを保持する、請求項１３に記載のシェル（４００、４００’、４００”）。
【請求項１５】
前記支持体が取り付けられている前記シェルの前記リム形成壁（４０２、４０２’）が、前記加入者ＩＤカードを通すのに適している貫通スロットを含む、請求項１から３のいずれか一項に記載のシェル（４００、４００’、４００”）。
【請求項１６】
移動体電気通信ネットワークを通じて通信し、かつ近距離無線通信を扱うように適合された携帯端末（１００、１００’、１００”）であって、
・携帯電話（２００）であって、側面の縁部に配置され、加入者ＩＤカード（３００）を前記携帯電話（２００）に挿入することを可能にするスロット（２０１）を備える携帯電話（２００）と、
・前記携帯電話（２００）を取外し可能なやり方で収容するように適合された請求項１から３のいずれか一項に記載のシェル（４００、４００’、４００”）と、
を備えることを特徴とする携帯端末（１００、１００’、１００”）。
【発明の詳細な説明】
【技術分野】
【０００１】
本発明は電気通信の一般的な分野に関する。
【０００２】
より詳細には、本発明は、たとえば近距離無線通信（ＮＦＣ）技術などのいわゆる「非接触」通信技術に関し、また、いわゆる「非接触」アプリケーションを遂行するために非接触通信技術を携帯通信端末に用いることに関するものである。
【背景技術】
【０００３】
ＮＦＣ技術に依存する非接触アプリケーションは、たとえば銀行業務もしくは公共輸送機関の分野での電子商取引を遂行するために、または実際に識別もしくはアクセスの制御に関するアプリケーションにおいて開発されている。
【０００４】
一般に、そのようなＮＦＣアプリケーションでは、接触していない２つのＮＦＣエンティティの間で近距離無線通信が確立され、このために、各ＮＦＣエンティティは、他のＮＦＣエンティティとの非接触通信の確立を可能にするアンテナと関連した近距離無線通信デバイス（すなわちＮＦＣデバイス）を有する。本文献では、以下で、「ＮＦＣデバイス」という用語は、ＮＦＣ素子、ならびにＮＦＣ素子を使用するための回路におけるＮＦＣ素子の動作を可能にする、たとえばキャパシタおよび／または抵抗器などの他の電子部品を備える組立体を意味するように用いられる。
【０００５】
１つの動作モードでは、一方のＮＦＣエンティティが非接触カードとして働き、他方のエンティティが非接触カードリーダとして働く。そのような動作モードで働く非接触ＮＦＣエンティティの例には、無線周波数識別（ＲＦＩＤ）タグおよびＲＦＩＤタグリーダがある。
【０００６】
各非接触ＮＦＣエンティティがデータを局所的にやりとりする非接触カードとして動作して同等の役割を遂行する、別のピアツーピア（Ｐ２Ｐ）動作モードを意図することも可能である。
【０００７】
現行の最先端技術では、ＮＦＣエンティティ（すなわち非接触カードおよび／または非接触カードリーダ）の機能が、これらのＮＦＣ機能が端末の携帯電話機能と協働することを可能にする、加入者ＩＤカード（加入者識別モジュール（ＳＩＭ）としても知られている）付き携帯端末向けに提供されることを可能にするシステムが存在する。
【０００８】
それらのシステムでは、ある程度のセキュリティが必要であるため、非接触アプリケーションは、一般に携帯端末の加入者ＩＤカードに組み込まれている。さらに、携帯端末は、端末の近くにある別の非接触エンティティと対話するために、このやり方で携帯端末を非接触ＮＦＣエンティティに変換され得るように、ＮＦＣデバイスをその関連するアンテナとともに有する。
【０００９】
現況技術の特定のシステムでは、ＮＦＣデバイスは携帯端末のプリント回路にはんだ付けされる。
【００１０】
それによって、携帯端末が固定された構成になり、携帯端末のユーザが、携帯端末を、端末に非接触機能をもたらす素子と無関係に変更するのを防止する。
【００１１】
特許文献１は、より融通性のある構成を提示する代替システムを説明しており、ＮＦＣデバイスは、単にＳＩＭカードを介して、ワイヤインターフェースによって携帯端末に接続される。ワイヤインターフェースは、たとえばプラスチック材料で製作され、プラスチック材料の中に複数の接続ワイヤを含んでいるＮＦＣシートでよい。
【００１２】
より正確には、特許文献１が説明している、携帯電話の後面に対して解除可能なやり方で固定されるように設計されたシェルは、既存の携帯電話がＮＦＣ機能を提供し得るに、既存の携帯電話に適合するのに適している。
【００１３】
このシェルは、ＮＦＣデバイスを関連するアンテナとともに収容して、シェルの内面に対して保持するように設計されており、ＮＦＣデバイスをＳＩＭカードに接続するワイヤインターフェースを導くための、たとえばセットバックなどの手段を含む。
【００１４】
ＳＩＭカードが、ＳＩＭカードトレイとしても知られている適切な支持体の助けによって携帯電話に挿入され得るように、ワイヤインターフェースは、電話機の側面の縁部に配置されたスロットに案内される。
【００１５】
ＳＩＭカードがトレイに収容され、トレイは、スロットを通って携帯電話に差し込まれることによって、携帯電話の内部でＳＩＭカードに接続されるワイヤインターフェースの終端を、一緒に案内する。
【００１６】
電話機の側面の縁部に沿って延在し、シェルとスロットの間に存在するワイヤインターフェースの部分は、特に脆弱で壊れやすい。この部分を保護して、このように形成されたシェルおよび／または端末のぎこちない取扱い中に損傷を与えないようにするために、特許文献１は、ＳＩＭカードがアクセス可能な電話機の側面の縁部を覆う面を有するシェルを提供する。
【００１７】
本発明は、その解決策の代替案を提供するものである。
【先行技術文献】
【特許文献】
【００１８】
【特許文献１】国際公開第２０１１／１４８０８７号
【特許文献２】国際公開第２０１１／１４８０８６号
【発明の概要】
【課題を解決するための手段】
【００１９】
したがって、第１の態様では、本発明は、携帯電話を解除可能なやり方で収容するように適合されたシェルを提供し、前記携帯電話には、加入者ＩＤカードが携帯電話に挿入され得るように側面の縁部に配置されたスロットがあり、前記シェルは、
・近距離無線通信デバイスおよび近距離無線通信デバイスに関連したアンテナを収容して保持するようにシェルの下部形成壁に配置された手段と、
・通信デバイスに接続するための第１の終端、および複数の電気接点が備わっている第２の終端を有するワイヤインターフェースと、
・ワイヤインターフェースの第２の終端が固定されている支持体であって、第２の終端の電気接点を加入者ＩＤカードの対応する電気接点と接続するように、加入者ＩＤカードを収容するように適合されている支持体とを備える。
【００２０】
この解決策は、携帯電話を取外し可能なやり方で収容するためのシェルを提供するものであり、このシェルは、電気接点が備わっているワイヤインターフェースの一端を内蔵している支持体を有して、その上にＳＩＭカードが配置されており、その結果、ＳＩＭカードの接点が、ワイヤインターフェースの終端に対応する接点に接続される。したがって、支持体に組み込まれたワイヤインターフェースは、携帯端末とＳＩＭカードの間に連続して存在する。
【００２１】
本発明の意味において、「ワイヤインターフェース」という用語は、２つの電気接点間の物理的接続のあらゆる組を対象として含む。例として、そのようなワイヤインターフェースは、既知のやり方で組み込まれた１組の接続ワイヤを有する１枚のプラスチック材料で構成されてよい。
【００２２】
したがって、本発明は、特許文献１で説明された解決策の代替案を提案し、第１に、非接触機能を提供できるように既存の携帯電話を適合させることを可能にし、第２に、ＮＦＣデバイスをＳＩＭカードに接続するのに使用されるワイヤインターフェースを保護することを可能にするものである。
【００２３】
一実施形態では、シェルのリム形成壁には、複数の接続手段を有する第２の支持体が取り付けられており、前記接続手段のそれぞれが、携帯端末の接点を、ワイヤインターフェースの第２の終端の前記電気接点のうちの１つに接続するように配置されており、前記第２の支持体が、携帯電話の側面の縁部に配置されたスロットに挿入されるように適合されている。
【００２４】
この実施形態は、ワイヤインターフェースの第２の終端と加入者ＩＤカードの間の接触がより高信頼性になるという利点を提供するものである。ワイヤインターフェースの第２の終端に対する加入者ＩＤカードの配置不手際のリスクがより少ない。さらに、そのような実施形態により、寸法に対する制約、とりわけ、ワイヤインターフェースの第２の終端を固定して、携帯電話の側面の縁部に配置されたスロットに挿入されるように意図されている支持体の厚さに対する制約が緩和される。
【００２５】
別の実施形態では、本発明は、携帯電話を解除可能なやり方で収容するように適合されたシェルを提供し、この携帯電話には、加入者ＩＤカードが携帯電話に挿入され得るように側面の縁部に配置されたスロットがある。このシェルは、
・近距離無線通信デバイスおよび近距離無線通信デバイスに関連したアンテナを収容して保持するように、シェルの下部形成壁に配置された手段と、
・通信デバイスに接続するための第１の終端、および複数の電気接点が備わっている第２の終端を有するワイヤインターフェースと、
・ワイヤインターフェースの第２の終端を固定してシェルのリム形成壁に取り付けられた支持体であって、第２の終端の電気接点を加入者ＩＤカードの対応する電気接点と接続するように、加入者ＩＤカードを収容するように適合されている支持体とを備え、
ワイヤインターフェースの第２の終端が固定されている支持体と、この支持体に収容された加入者ＩＤカードとによって形成されている組立体が、携帯電話の側面の縁部に配置されたスロットに挿入されるように適合されている、という点で注目に値する。
【００２６】
本発明では、この支持体の寸法は、接点を有するワイヤインターフェースの終端を固定し、この支持体の所定の位置にＳＩＭカードを含み、組立体を形成したとき、ＳＩＭカードトレイを収容するように電話機の製造業者によって用意され携帯電話の側面の縁部に配置されたスロットに挿入され得るように設定されている。したがって、本発明は、携帯電話のための非常に融通性のある構成を提案し、シェルによって用意されているＮＦＣ素子とは無関係に、携帯電話の変更、すなわち実際にはＳＩＭカードの変更を容易にするものである。
【００２７】
本発明の好ましい実施形態では、本発明で使用される支持体の形状は、携帯電話の製造業者によって用意されたＳＩＭカードトレイの形状に似ているかまたは同一である。これにより、ＳＩＭカードを支持体に配置することが容易になるばかりでなく、携帯電話の側面の縁部に設けられたスロットを通じて支持体をＳＩＭカードとともに携帯電話に挿入し得ることを保証することができる。結果として、本発明は、携帯電話に対するいかなる改修もなしで実施され得る。
【００２８】
本発明によれば、ＮＦＣデバイスとＳＩＭカードを一緒に接続するのに役立つワイヤインターフェースは、支持体が電話機に挿入されている間、シェル経由のものであろうと、携帯電話経由のものであろうと、いかなる外部攻撃に対しても完全に保護され、シェルに衝撃がかかったり、シェルが手荒く扱われたりしたとき、ワイヤインターフェースが破断したり損傷を受けたりするリスクがない。
【００２９】
さらに、一旦、電話機がシェル内に適切に配置されると、ＮＦＣデバイスによって構成された組立体およびワイヤインターフェースが、その中に完全に組み込まれて、外部からまったく見えなくなる。本発明は、このように、既存の携帯電話にＮＦＣ機能を付加するための強固でコンパクトな解決策を提供するものである。
【００３０】
さらに、携帯電話に支持体を挿入して、シェルに携帯電話を挿入するのは、ユーザにとって困難なことではない。ユーザが遂行する動作は、電話機にＮＦＣ機能がないとき、従来型のトレイをＳＩＭカードとともに携帯電話に挿入するのに必要な動作に似ている。
【００３１】
本発明によれば、ＳＩＭカードとＮＦＣデバイスを関連付けることにより、ＳＩＭカードに固有のセキュリティを利用して、ＮＦＣ通信の間に交換されるデータを安全にすることが可能になり、また、ＮＦＣデバイスに給電するためにＳＩＭカードの電源を共用することも可能になる一方で、携帯電話によって利用可能な、たとえば充電などの目的で携帯電話をステーションに置くことなどの他の機能に対するフリーアクセスはそのままであることを認められたい。
【００３２】
特定の実施形態では、支持体は、前記壁に沿って延在する軸のまわりで枢転可能な軸ピン接続によってシェルの壁に取り付けられる。
【００３３】
この軸ピン接続により、ＳＩＭカードが収容される支持体は、携帯電話のスロットに容易に挿入され得るように、壁に対して蝶番でとめられ得る。
【００３４】
一変形形態では、支持体は剛性連結によって壁に取り付けられてよい。したがって、支持体は、壁に対して、たとえば接着接合されるかまたははんだ付けされてよい。
【００３５】
この変形形態は、製作するのが特に簡単である。
【００３６】
支持体とシェル壁の間に剛性連結を用いることが意図されているとき、携帯電話への支持体の挿入を容易にするために、本発明が提案する変形形態は、比較的簡単で特に効果的であり、シェルを設計するときに実施することができる。
【００３７】
したがって、第１の変形形態では、シェルの少なくとも１つの壁は、可撓性の変形可能な材料で製作される。この壁は、好ましくは支持体が取り付けられるシェルの壁である。
【００３８】
この第１の変形形態は、ＳＩＭカードが支持体に収容されているとき、支持体を携帯電話に配置するのを支援する。支持体が配置されているシェルの可撓性壁を変形させることにより、支持体を、電話機の側面の縁部に配置されたスロットに持ち込むのが容易になる。
【００３９】
さらに、この第１の変形形態により、本発明のシェルの製作に関連した製造コストを制限することが有利に可能になる。この第１の変形形態により、本発明によらない既存のシェルを製作するための型を再利用することがより容易になる。
【００４０】
第２の変形形態では、本発明のシェルは、一緒に組み立てられる少なくとも２つの別個の部分によって構成されてよく、そのうちの一方が、シェルの下部形成壁に配置された手段、ワイヤインターフェース、および支持体を含む。
【００４１】
たとえば、他方は、シェルの、支持体が取り付けられている壁から反対側にリム形成壁を備えてよい。
【００４２】
シェルをこのように適切に細分すると、携帯電話に支持体を挿入する動作が簡単になる。その後、シェルを再構成するように、シェルの第２の部分に第１の部分を取り付ける。２つの部分は、特に、従来型の接続クリップによって組み立てられてよい。
【００４３】
シェル用のこの２つの部分の構造により、携帯電話のために役に立つ他の接触、具体的にはドッキングステーションとの接触などを確立するのも、より容易になる。
【００４４】
可撓性の変形可能材料で製作された壁を有するシェルまたは複数の部分から構成されたシェルを使用することは、シェルのリムを形成する壁に対して支持体を強直に取り付けるとき、軸ピン接続によって支持体をシェルの壁に取り付けるのにこれら２つの代案が両方とも意図され得るとしても、特に適切であることを認められたい。
【００４５】
特定の実施形態では、シェルの壁のうち少なくとも１つが、ワイヤインターフェースの少なくとも一部分を収容するように適合された形状のセットバックを含む。
【００４６】
この実施形態により、ワイヤインターフェースが、より効率よく保護され得る。
【００４７】
好ましくは、このセットバックの深さは、ワイヤインターフェースが、セットバックに一旦挿入されると、シェルの（内側の）面と面一になる、すなわちその面と同じ高さになるような寸法である。
【００４８】
これにより、シェルの中でワイヤインターフェースがうまく保持されて保護されることが保証される。
【００４９】
さらに、ワイヤインターフェースは、セットバックの中で樹脂の助けによって保持されてもよい。
【００５０】
したがって、ワイヤインターフェースが、たとえば万一シェルが落とされる場合といった考えられる外部攻撃に耐えることにおいて、より強固で優れたものに製作される。
【００５１】
特定の実施形態では、シェルの下部形成壁には、携帯電話の取外し可能な加入者ＩＤカード支持体を収容して保持し得るように適合された形状のカードセットバックが含まれる。
【００５２】
本発明の支持体が、電話機の製造業者によって最初に用意されたＳＩＭカードトレイに対する置換として挿入されるので、携帯電話のユーザは、この実施形態によって、シェルを使用している間にトレイを紛失するのを防止することができる。
【００５３】
別の特定の実施形態では、シェルの下部形成壁に配置された手段には、近距離無線通信デバイスおよびそれに関連したアンテナを収容して保持するように適合された形状のＮＦＣデバイスのセットバックが含まれる。
【００５４】
したがって、ＮＦＣデバイスおよびそのアンテナの位置を前もって完全に制御することが可能であり、それによって、ワイヤインターフェースの長さに関連した特定の性能の態様を最適化することがより容易になる。
【００５５】
それに加えて、シェルの下部形成壁に配置された手段は、樹脂の助けによって、近距離無線通信デバイスおよび近距離無線通信デバイスに関連したアンテナを保持し得る。
【００５６】
したがって、近距離無線通信デバイスおよびそのアンテナは、一旦所定の位置に配置されると、シェルまたは端末が急に動かされたときでさえ、もはや移動する可能性がない。ＮＦＣ通信デバイスも、樹脂によって、よりよく保護される。
【００５７】
本発明の一実施形態では、支持体が取り付けられるシェルの壁は、加入者ＩＤカードを通すのに適している貫通スロットを含む。
【００５８】
このスロットにより、支持体に対するＳＩＭカードの出し入れが容易になる。
【００５９】
第２の態様では、本発明は、移動体電気通信ネットワークを通じて通信し、かつ近距離無線通信を扱うように適合された携帯端末を提供するものであり、前記携帯端末は、
・側面の縁部に配置され、加入者ＩＤカードを携帯電話に挿入することを可能にするスロットを備える携帯電話と、
・取外し可能なやり方で携帯電話を収容するように適合された本発明のシェルとを備える。
【００６０】
そのような端末により、携帯電話機能とＮＦＣタイプの機能の両方を利用することが可能になる。
【００６１】
携帯電話は、したがって、当初はそのように設計されなかったとしてもＮＦＣの機能を与えられ、このために、携帯電話は、本発明のシェルと電話機を関連付けるのに十分である。このシェルは、可能性のある衝撃または外部攻撃に対して端末を保護するのにも有利に役立つ。
【００６２】
第３の態様では、本発明は、本発明の複数の携帯端末を備える通信システムも提供するものである。
【００６３】
他の実施形態では、本発明のシェル、携帯端末、および通信システムは、上記の特定の特徴のいくつかまたはすべてと組み合わせて存在するように意図することも可能である。
【００６４】
本発明の他の特徴および利点が、限定する性質を有しない実施形態を示す添付図面の参照を伴う以下の説明から明らかになる。
【図面の簡単な説明】
【００６５】
【図１】本発明の第１の実施形態による端末およびシェルを高度に概略化して示す図である。
【図２Ａ】本発明の第１の実施形態による端末およびシェルを高度に概略化して示す図である。
【図２Ｂ】本発明の第１の実施形態による端末およびシェルを高度に概略化して示す図である。
【図３Ａ】本発明の第２の実施形態による端末およびシェルを示す図である。
【図３Ｂ】本発明の第２の実施形態による端末およびシェルを示す図である。
【図４】本発明の第３の実施形態による端末およびシェルを示す図である。
【図５】本発明の第４の実施形態による端末およびシェルの概略図である。
【発明を実施するための形態】
【００６６】
図１は、本発明の第１の実施形態において、移動体電気通信ネットワーク（図示せず）を通じて通信し、近距離無線通信を扱うように適合されている、本発明による携帯端末１００を示す。
【００６７】
本発明によれば、携帯端末１００は、
・移動体電気通信ネットワークを通じて通信することができるように、加入者ＩＤカード３００（言い換えればＳＩＭカード）を収容するのに適している携帯電話２００と、
・取外し可能なやり方で携帯電話２００を収容するように適合されることによって、電話機２００がＮＦＣタイプの非接触通信機能を持つように適合されることを可能にする、本発明によるシェル４００とを備える。
【００６８】
本発明では、「取外し可能」という用語は、電話機２００が一時的なやり方でシェル４００に収容され得ること、言い換えればシェル４００に対する電話機２００の着脱が自由であることを意味するように用いられる。
【００６９】
携帯電話２００は、側面にスロット２０１が配置されている任意の電話機でよい。スロット２０１は、携帯電話に備わっているＳＩＭカードトレイ（図示せず）を介して携帯電話２００にＳＩＭカード３００を挿入するのに役立つ。
【００７０】
ＳＩＭカード３００が有する複数の電気接点３０１は、ＳＩＭカードトレイによってスロット２０１に挿入されている状態で、携帯電話２００の対応する接点に接続される。これらの電気接点３０１は、既知のやり方で、特に、ＳＩＭカードに給電したり、単線プロトコル（ＳＷＰ）などの標準化された通信プロトコルによってデータを交換したりするのに役立つ。そのような接点は当業者に知られているので、本明細書でより詳細に説明することはない。
【００７１】
携帯電話２００のどの側面の縁部がスロット２０１を有するかということに関する制約はなく、スロットは、電話機２００の側面の縁部のうち任意のもの（携帯電話が使用される方向に対して、左、右、上部または下部）に配置されてよいことを認められたい。当業者なら、携帯電話２００の何らかの他の位置にスロットが存在することを考慮に入れるように本発明のシェルを適合させるのにてこずらないはずでる。
【００７２】
シェル４００は、携帯電話２００の後面を覆うための下部形成壁４０１を有し、この壁は１つまたは複数のリム形成壁４０２〜４０５によって囲まれている。これらのリム形成壁は、電話機がシェル４００に配置されたとき電話機をシェルの下部形成壁４０１に保持するように、携帯電話２００の側面の縁部のまわりに取り付けるべきものである。
【００７３】
シェル４００は、内面４０６と、内面４０６から反対側の外面４０７とを有し、外面は任意の形でよい。
【００７４】
したがって、図１に示された例では、シェルの外面４０７のそばのシェルの下部形成壁４０１は、平坦で平滑な剛体の面の形態である。シェルの下部形成壁４０１を囲んでいる４つのリム形成壁４０２〜４０５は、下部形成壁４０１と同様に剛体であって、下部形成壁４０１に対して実質的に垂直である。たとえば、携帯電話２００をドッキングステーション（一般に、携帯電話２００の下部側面の縁部にある）に配置することを可能にする接続手段、呼出し音のレベルを増減するためのボタン、カメラのレンズ（一般に、シェルの下部形成壁４０１におけるシェルの外面４０７のそばに配置されている）などといった、携帯電話の様々な機能によるアクセスが可能になるように、壁４０２〜４０５には開口も製作されてよい。
【００７５】
本発明によれば、シェル４００は、
・近距離無線通信デバイス（すなわちＮＦＣデバイス）およびこの通信デバイスと関連したアンテナを収容して保持するための、シェル４００の内面４０６のそばのシェルの下部形成壁４０１に配置された手段４０８と、
・ＳＩＭカード３００にＮＦＣ通信デバイスを接続するためのワイヤインターフェース４０９であって、ＮＦＣデバイスに接続された第１の終端４０９Ａ、および複数の電気接点４０９Ｃを伴う第２の終端４０９Ｂを有するワイヤインターフェース４０９と、
・ワイヤインターフェース４０９の終端４０９Ｂが固定されているシェルのリム形成壁４０２に取り付けられた支持体４１０であって、ワイヤインターフェースの電気接点４０９ＣとＳＩＭカード３００の対応する電気接点３０１の間の電気接触を確立するように（言い換えれば、ワイヤインターフェースの電気接点４０９Ｃを、ＳＩＭカード３００の対応する電気接点３０１に接続するように）、支持体４１０に組み込まれたワイヤインターフェース４０９の終端４０９ＢにＳＩＭカード３００を配置することによってＳＩＭカード３００を収容するように適合されている支持体４１０とも備える。
【００７６】
以下の記述では、簡素化のために、「ＮＦＣ組立体」５００という用語は、ＮＦＣデバイスおよびこれに関連したアンテナで構成された組立体を意味するように用いられる。
【００７７】
現在説明された実施形態では、ＮＦＣデバイスを収容して保持するための手段には、シェル４００の内面４０６においてシェル４００の厚さの中に機械加工され、ＮＦＣ組立体５００を収容して保持するように成形された、ＮＦＣデバイス４０８のためのセットバックが備わっている。セットバック４０８の寸法は、ＮＦＣ組立体の寸法に一致するものである。具体的には、セットバックの深さは実質的にＮＦＣデバイスの厚さに等しく、その結果、デバイスは、シェルに取り付けられたときシェルの内面と同じ高さになる。ＮＦＣ組立体５００は、樹脂の助けによってセットバック４０８内に保持される。
【００７８】
一変形形態では、ＮＦＣ組立体５００および手段４０８に関する他の構成を意図することが可能である。たとえば、ＮＦＣデバイスおよびそのアンテナ５００は、ＮＦＣデバイスを収容して保持するための手段に組み込まれることにより、所定の位置に収容されて保持される基板上に設計されてよい。
【００７９】
たとえば、接着剤、機械的締結具など、ＮＦＣデバイスおよびそのアンテナがシェルの下部形成壁に対して保持されることを可能にする他の手段も意図され得る。
【００８０】
例として、ワイヤインターフェース４０９は、その中に複数の接続ワイヤを保持するプラスチック材料のシートである。
【００８１】
現在説明された実施形態では、シェルの内面４０６に沿って支持体４１０まで延びるワイヤインターフェース４０９の一部分は、保護されるように、シェルの壁４０１および４０２に形成されたセットバック４１１に収容される。
【００８２】
このセットバック４１１は、シェル４００の内面４０６に製作される。セットバック４１１の形状は、インターフェース４０９を収容するように適合されている。より正確には、セットバック４１１の深さ、幅、および長さは、この例では、ワイヤインターフェース４０９が、セットバック４１１に収容されたとき、シェル４００の内面４０６と同じ高さになるように選択されている。これによって、ワイヤインターフェース４０９がシェルの内面４０６から突出しないことが保証され、その結果、可能性のある外部攻撃に対してよりよく保護される。
【００８３】
ワイヤインターフェース４０９は、たとえば樹脂の助けによってセットバック４１１の中でも保持される。
【００８４】
前述のように、ワイヤインターフェース４０９は、従来のやり方でＮＦＣデバイスに接続された第１の終端４０９Ａと、ＳＩＭカード３００の対応する接点に接続すべき複数の電気接点４０９Ｃが備わっている第２の終端４０９Ｂとを有する。そのようなシートは、具体的には特許文献２により詳細に説明されており、したがって本明細書でより詳細に説明することはない。
【００８５】
電気接点４０９Ｃを有するワイヤインターフェース４０９の第２の終端４０９Ｂは、リム形成壁４０２に確実に取り付けられた支持体４１０に、たとえば接着剤によって固定される。もちろん、機械的締結具など、終端４０９Ｂの支持体４１０への固定を可能にする他の手段も意図され得る。
【００８６】
支持体４１０には、ＳＩＭカード３００を収容して、ワイヤインターフェースの終端４０９Ｂに接触させて保持するように適合された形状の部分（たとえば金属またはプラスチック材料で製作されている）がある。例として、そのような形状は、ＳＩＭカード３００用の従来型のトレイの形状に似ている。
【００８７】
それにもかかわらず、支持体４１０は、従来のＳＩＭカードトレイとは異なって、ワイヤインターフェースの終端４０９Ｂを組み込むという点で「固体」であることを認められたい。支持体４１０は、終端４０９Ｂの上に、ワイヤインターフェース４０９の終端４０９Ｂの上にＳＩＭカードを容易に収容することができるように、また、ＳＩＭカードを所定の位置に容易に保持することができるように、ＳＩＭカード３００に似た形状に製作されたセットバックも有する。
【００８８】
一変形形態では、終端４０９Ｂ上でＳＩＭカード３００を収容するのに役立つ支持体４１０のための他の形状を意図することが可能であり、また、一旦終端４０９Ｂに組み込まれると、ＳＩＭカード３００を所定の位置に保持するための他の手段を意図することも可能である。
【００８９】
支持体４１０は、リム壁４０２に、スロット２０１が製作される携帯電話２００の側面の縁部と一致するように取り付けられる。より正確には、図１、図２Ａ、および図２Ｂの実施形態では、支持体４１０は、リム形成壁４０２に沿って延在する軸のまわりを旋回する軸ピン接続によって、シェルのリム形成壁４０２に取り付けられる。支持体４１０は、シェルの内側の方へ、すなわち支持体４１０が取り付けられる壁から反対側のシェルの壁４０３の方へ突出する。
【００９０】
そのような軸ピン接続は、具体的には、シェル４００のリム壁４０２の厚さの中に収容された従来型の蝶番４１３によって製作されてよい。これは、携帯電話２００がシェル４００の所定の位置にあるときそこに保持されるように、携帯電話２００の側面の縁部がシェル４００のリム形成壁４０２〜４０５と整合することを保証する。
【００９１】
本発明によれば、終端４０９Ｂが固定され、ＳＩＭカード３００が配置されている支持体４１０によって形成された組立体が、携帯電話２００にＮＦＣ機能を与えるために、スロット２０１を通じて携帯電話２００に挿入され、ワイヤインターフェースの接点４０９Ｃが、次いで、ＳＩＭカード３００の対応する接点３０１と接続されることが理解される。
【００９２】
このために、支持体４１０およびワイヤインターフェース４０９の寸法は、一旦、ＳＩＭカードが所定の位置に収まると、携帯電話２００に用意されたスロット２０１に組立体を挿入することができるように選択されている。言い換えれば、支持体４１０と支持体４１０上の所定の位置のＳＩＭカード３００とによって構成された組立体の寸法（すなわち厚さ、幅、および長さ）は、スロット２０１の寸法以下であるべきである。それにもかかわらず、それらは、組立体が電話機のスロットに挿入され得るのであれば、必要に応じて、トレイ上の所定の位置にＳＩＭカードを有する従来型のＳＩＭカードトレイによって構成された組立体の寸法をわずかに上回り得る。スロット２０１の寸法は、携帯電話２００の製造業者によって決定されることを認められたい。
【００９３】
壁４０２の高さに対する支持体４１０の位置は、支持体４１０をスロット２０１に挿入することができるように、携帯電話２００の寸法の関数として求められる。
【００９４】
支持体４１０を壁４０２に取り付けるのに用いられる軸ピン接続４１３は、図２Ａおよび図２Ｂに示されるように、ワイヤインターフェースの終端４０９ＢとＳＩＭカード３００とが固定されている支持体４１０によって構成された組立体の、スロット２０１への挿入をより容易にするのに役立つ。このことは、シェル４００の壁が剛体の材料で製作されているとき、無視できない利点を提供する。
【００９５】
具体的には、この軸ピン接続が存在することにより、その上にＳＩＭカード３００が配置されている支持体４１０を、スロット２０１を通じて携帯電話２００に挿入することができるように持ち上げることが可能になる（図２Ａ参照）。一旦、支持体とＳＩＭカードとによって構成された組立体が携帯電話２００に挿入されると、次いで、電話機は、シェルの下部形成壁４０１の方へ移動されてＮＦＣ組立体５００上でシェル４００に組み込まれ、このことは軸ピン接続によって可能になる（図２Ｂ参照）。
【００９６】
したがって、シェル４００に挿入された携帯電話２００によって形成された携帯端末１００では、ＳＩＭカード３００の助けによって移動体電気通信ネットワークを通じて通信することと、ＮＦＣ組立体５００の助けによって近距離無線通信を扱うことの両方が可能になる。
【００９７】
一変形形態では、支持体４１０をシェルのリム形成壁４０２に固定するための軸ピン接続を製作するための他の手段を用いることもあり得る。
【００９８】
したがって、第１の変形形態では、壁４０２に固定され、壁４０２の厚さの中で支持体４１０のいずれかの面に配置された突起を意図することができる。
【００９９】
第２の変形形態では、支持体４１０のいずれかの面に固定されている（したがって支持体４１０を通り抜ける）か、または一端が壁４０２に固定されて他端が（支持体４１０の金属またはプラスチック部分を介して）支持体４１０に固定されている、１つまたは複数のストラップを意図することができる。
【０１００】
支持体４１０を壁４０２に固定することを可能にする前述の軸ピン接続は、排他的である必要はなく、すなわち、軸ピン接続に加えて他のタイプの接続を実施する手段を用いて支持体４１０を壁４０２に固定することを意図することが可能であることも認められたい。したがって、たとえば、これらの手段により、軸ピン接続が、壁４０２の高さのすべてまたは一部分に沿ってスライドする接続と組み合わされ得る。
【０１０１】
本発明の別の実施形態では、支持体は、剛性連結（すなわち壁に対して定着している接続）によってシェルのリム形成壁に取り付けられる。
【０１０２】
したがって、図３Ａおよび図３Ｂは、支持体４１０をシェルのリム形成壁４０２’に固定するのに剛性連結が用いられる本発明の第２の実施形態の携帯端末１００’を示す。簡素化のために、図１、図２Ａ、および図２Ｂに示される携帯端末１００の要素と同一の携帯端末１００’の要素を示すのに、同一の参照が用いられている。
【０１０３】
図３Ａおよび図３Ｂに示されたシェル４００’が前述のシェル４００から異なる点は、
・第１に、シェル４００’は、たとえばゴム（この例では、簡素化のために、シェル４００’の壁がすべてこの材料で製作されていることを示す）などの可撓性で変形可能な材料で製作された少なくとも１つの壁、すなわち支持体４１０が取り付けられるリム形成壁４０２’を含んでいること、および
・第２に、ワイヤインターフェース４０９の終端４０９Ｂが固定されている支持体４１０が、剛性連結によってこの壁に取り付けられていることである。例として、そのような剛性連結は、支持体４１０を壁４０２’に接着接合することによってもたらされる。
【０１０４】
支持体４１０と壁４０２’の間に剛性連結が存在するにもかかわらず、それでも壁４０２’に可撓性で変形可能な材料を用いることにより、その上にＳＩＭカード３００が配置されている支持体４１０によって構成された組立体を、携帯電話２００のスロット２０１に容易に挿入することができる。
【０１０５】
具体的には、電話機のスロット２０１に支持体４１０を配置するために支持体４１０を傾斜させるのに、支持体４１０を定位置（ｒｅｓｔ  ｐｏｓｉｔｉｏｎ）から離して移動するように可撓性材料の壁４０２’を変形させれば十分である（図３Ａ参照）。このように傾斜させた支持体４１０は、携帯電話２００のスロット２０１に容易に挿入することができる。
【０１０６】
ＳＩＭカード３００を伴う支持体４１０が挿入されている携帯電話２００は、次いでシェル４００’の下部形成壁４０１’の方へ移動され、場合により、必要に応じて可撓性壁４０２’をもう一度撓ませることによって、ＮＦＣ組立体５００上のシェルに組み込まれる（図３Ｂ参照）。
【０１０７】
したがって、シェル４００’に挿入されている携帯電話２００によって形成された携帯端末１００’は、ＳＩＭカード３００の助けによって移動体電気通信ネットワークを通じて通信することと、ＮＦＣ組立体５００の助けによって近距離無線通信を扱うことの両方に適している。
【０１０８】
図４には本発明の第３の実施形態が示されており、支持体４１０は、本発明により、シェル４００”のリム形成壁４０２に剛性連結によって取り付けられている。この第３の実施形態では、シェル４００”は、全体的に、たとえばプラスチック材料などの剛性材料から製作されている。簡素化のために、図１、図２Ａ、および図２Ｂに示された携帯端末１００の要素と同一の携帯端末１００’の要素を示すのに、同一の参照が用いられている。
【０１０９】
この第３の実施形態では、その上にワイヤインターフェースの終端４０９ＢおよびＳＩＭカード３００が固定されている支持体４１０によって構成された組立体の挿入を容易にするために、シェル４００”は、複数の別個の部分を一緒に組み立てたものから構成されている。支持体４１０が剛性連結によってシェル４００”の壁４０２に固定されるという事実は別にして、シェルおよび端末１００”の他の要素は、シェル４００および端末１００の要素と似ているかまたは同一である。
【０１１０】
より正確には、図４に示された例では、シェル４００”は、
・手段４０８、ワイヤインターフェース４０９、および支持体４１０を備える矩形形状の第１の部分４００”−１であって、この例では、シェル４００”の壁４０２および壁４０２と隣接しているリム成形壁４０４のほとんどすべてを含んでいる第１の部分４００”−１と、
・支持体４１０が取り付けられている壁４０２から反対側のシェル４００”のリム形成壁４０３、壁４０４の残りの部分、およびシェル４００”の壁４０５を含んでいるＬ字形の第２の部分４００”−２との２つの部分から構成されている。
【０１１１】
したがって、図４に示されるように、部分４００”−１と４００”−２とは別個であって相補的である。それらは、シェル４００”を構成するように、複数の締結クリップ４１２”によって、可逆的なやり方で一緒に組み立てられる（すなわち、一緒に組み立てられ、損傷を受けることなく分離され得る）。
【０１１２】
シェル４００”を構成するために部分４００”−１と４００”−２を一緒に組み立てるために使用される手段４１２”に関連する制約はないことを認められたい。もちろん、たとえば自己把持凸縁（ｓｅｌｆ  ｇｒｉｐｐｉｎｇ  ｔｏｎｇｕｅ）などの他の組立て手段が使用され得る。
【０１１３】
この第３の実施形態では、携帯電話２００のスロット２０１に支持体４１０を配置するには、シェル４００”の４００”−１と４００”−２の２つの部分を分離すれば十分である。次いで、携帯電話２００は、底壁４０１に沿って支持体４１０の方へ、支持体４１０がスロット２０１に完全に挿入されるまでスライドされる（図４参照）。
【０１１４】
一旦、支持体４１０がスロットに挿入されると、第２の部分４００”−２が携帯電話２００のまわりに配置され、部分４００”−１と４００”−２が、締結クリップ４１２”によってシェル４００”を再構成するように一緒に組み立てられる。
【０１１５】
もちろん、部分４００”−１および４００”−２は、図４に示されたもの以外の形状でよい。したがって、例として、第２の部分４００”−２は、長方形であり、また、壁４０３と、壁４０４および４０５と同一の寸法で壁４０３と隣接している２つの部分とを含み得る。
【０１１６】
したがって、２つの部分を一緒に組み立てた後に得られる携帯端末１００”は、ＳＩＭカード３００の助けによって移動体電気通信ネットワークを通じて通信することができ、また、ＮＦＣ組立体５００の助けによって近距離無線通信を扱うこともできる。
【０１１７】
前述の３つの実施形態では、ＳＩＭカード３００が配置されている支持体４１０自体が、携帯電話２００とともに納入されたＳＩＭカードトレイに対する代替としてスロット２０１に挿入されることを認められたい。
【０１１８】
有利には、これら３つの実施形態では、シェル４００、４００’、または４００”の下部形成壁の内面にカードセットバック４１４が設けられ、このセットバックの形状は、携帯電話２００がシェルに挿入されるときには使用されない携帯電話２００の取外し可能なＳＩＭカードトレイを収容して保持するのに適したものである。
【０１１９】
このカードセットバック４１４は、したがって、支持体４１０が携帯電話２００にＮＦＣ機能を与えるために使用されている間、携帯電話２００のＳＩＭカードトレイを格納するのに役立つ。これは、携帯電話２００のユーザのトレイの紛失を防止するのに役立つ。
【０１２０】
さらに、図に示されていない別の実施形態では、支持体が取り付けられるリム形成壁に貫通スロットを設けることができ、このスロットはＳＩＭカードを通す働きをする。そのようなスロットにより、シェルから電話機を取り出す必要なしで、支持体からＳＩＭカードを抜き出すこと、またはその反対に、携帯電話の内部の支持体にＳＩＭカードを挿入することが有利に可能になる。このスロットは、支持体のＳＩＭカードに対する予期された位置または実際の位置と接触するように、シェルの壁に配置される。
【０１２１】
図５に示される別の実施形態では、加入者ＩＤカード３００、支持体（図５には示されていない）、およびワイヤインターフェース４０９Ｂの第２の終端は、シェル４００、４００’、および４００”の中で位置的に（ｇｅｏｇｒａｐｈｉｃａｌｌｙ）オフセットされる。たとえばシェル４００、４００’、および４００”の内面に製作された、シェル４００、４００’、および４００”の別のセットバック（図５には示されていない）の形状は、ワイヤインターフェースの第２の終端４０９Ｂを固定して加入者ＩＤカード３００を収容する支持体を収容するように適合されたものである。読みやすさのために、ワイヤインターフェースの第２の終端４０９Ｂのみが示されている。ワイヤインターフェースの第２の終端４０９Ｂは支持体に配置されている。この支持体は、厚さに関する制約が、図１から図４を参照しながら説明された実施形態のものよりも厳しくないことが理解され得る。一実施形態では、支持体はセットバックに含まれている。
【０１２２】
図５を参照しながら説明された例では、ワイヤインターフェースの第２の終端４０９Ｂが固定されている支持体は、近距離無線通信デバイス５００の近くに位置している。
【０１２３】
この実施形態では、シェルのリム形成壁４０２に取り付けられた第２の支持体４２０は、第２の支持体４２０が、ワイヤインターフェースの第２の終端４０９Ｂの対応する電気接点を有する携帯端末の側壁に配置されたスロットに挿入されたとき、携帯端末の接点を接続するように構成された接続手段４２１（図５には示されていない）を有する。言い換えれば、接続手段４２１は、携帯端末に接触しているとき、携帯端末の接点をワイヤインターフェースの第２の終端４０９Ｂまで延長する。ワイヤインターフェース（図５には示されていない）は、そうでなければ、特許文献２に説明されているもののままである。一緒に、接続手段４２１は、第２の支持体４２０を、シェルの壁４０１および４０２に形成されたセットバック４１１’の中のワイヤインターフェースの第２の終端４０９Ｂまで案内する第２のワイヤインターフェース４２２を形成する。
【０１２４】
加入者ＩＤカード３００がシェル４００、４００’、４００”の中で位置的にオフセットされている実施形態では、ワイヤインターフェースに固有の機能が同一のままであることが理解され得る。
【０１２５】
この実施形態は、ワイヤインターフェースの第２の終端４０９Ｂと加入者ＩＤカード３００の間の接触がより高信頼性になるという利点を提供するものである。ワイヤインターフェースの第２の終端４０９Ｂに対する加入者ＩＤカード３００の配置不手際のリスクがより少ない。さらに、そのような実施形態により、ワイヤインターフェースが固定されている支持体と、携帯端末の側面の縁部に配置されたスロット２０１に挿入されることになる第２の支持体４２０との両方の、寸法に対する制約、とりわけ厚さに対する制約が緩和される。したがって、本発明により、任意の既存の携帯電話に対して、モバイルネットワークを通じて通信する携帯電話の機能に加えてＮＦＣ通信機能を与えるのが容易になる。本発明のシェル、加入者ＩＤカード、および携帯電話を組み立てることによって得られた携帯端末は、端末と通信することができる基地局などの携帯電話ネットワーク装置と、そのシェルの中に本発明の携帯端末が組み込まれているＮＦＣ組立体を使用して通信することができる、非接触アプリケーションを遂行する１つまたは複数の部分のＮＦＣ装置との両方を備えている本発明の通信システムに有利に組み込むことができる。
【符号の説明】
【０１２６】
１００  携帯端末
１００’  携帯端末
１００”  携帯端末
２００  携帯電話
２０１  スロット
３００  加入者ＩＤカード
３０１  電気接点
４００  シェル
４００’  シェル
４００”  シェル
４００”−１  シェル４００”の第１の部分
４００”−２  シェル４００”の第２の部分
４０１  下部形成壁
４０１’  下部形成壁
４０２  リム形成壁
４０２’  リム形成壁
４０３  リム形成壁
４０４  リム形成壁
４０５  リム形成壁
４０６  内面
４０７  外面
４０８  セットバック
４０９  ワイヤインターフェース
４０９Ａ  ワイヤインターフェース４０９の第１の終端
４０９Ｂ  ワイヤインターフェース４０９の第２の終端
４０９Ｃ  電気接点
４１０  支持体
４１１  セットバック
４１１’  セットバック
４１２”  締結クリップ
４１３  蝶番
４１４  カードセットバック
５００  ＮＦＣ組立体、近距離無線通信デバイス
【図１】
2015514364.tif 000003
【図２Ａ】
2015514364.tif 000004
【図２Ｂ】
2015514364.tif 000005
【図３Ａ】
2015514364.tif 000006
【図３Ｂ】
2015514364.tif 000007
【図４】
2015514364.tif 000008
【図５】
2015514364.tif 000009
【国際調査報告】
2015514364.tif 000010
2015514364.tif 000011
2015514364.tif 000012
2015514364.tif 000013